(57)【要約】      （修正有）【課題】設置が容易で検知感度が良好なスイッチ機構を備え、乗務員がリモート端末の不在を確実に察知することができるリモート端末備忘装置を提供する。【解決手段】移動車両の乗務員によって使用されるリモート端末の紛失を防止するためのリモート端末備忘装置１であって、リモート端末を収容可能な筐体部２と、警報を発する警報部５と、この警報部５の電源の入切を操作するスイッチ部と、警報部５に電力を供給する電力供給部とを有する。スイッチ部はリモート端末に接して動作する動作部４を備え、この動作部４は、リモート端末の載荷を受けるときは導電しない切状態となり、リモート端末の載荷を受けないときは導電する入状態となるものである。【選択図】図１
0003178711.tif 000002
【実用新案登録請求の範囲】
【請求項１】
移動車両の乗務員によって使用されるリモート端末の紛失を防止するためのリモート端末備忘装置であって、
前記リモート端末を収容可能な筐体部と、警報を発する警報部と、この警報部の電源の入切を操作するスイッチ部と、前記警報部に電力を供給する電力供給部とを有し、
前記スイッチ部は前記リモート端末に接して動作する動作部を備え、この動作部は、前記リモート端末の載荷を受けるときは導電しない切状態となり，前記リモート端末の載荷を受けないときは導電する入状態となることを特徴とするリモート端末備忘装置。
【請求項２】
前記警報部が発する警報は、視認可能な警告灯又は聴認可能な警報音又は前記警告灯と前記警報音の組合せであることを特徴とする請求項１に記載のリモート端末備忘装置。
【請求項３】
前記筐体に枢設され前記筐体の開放部の少なくとも一部を覆う扉部を備えることを特徴とする請求項１又は請求項２に記載のリモート端末備忘装置。
【考案の詳細な説明】
【技術分野】
【０００１】
本考案は、移動車両の乗務員によって使用されるリモート端末の紛失を防止するためのリモート端末備忘装置に関する。
【背景技術】
【０００２】
一般に、車載式トラッククレーンやショベルカー等では遠隔操作が可能な無線の送信機であるリモート端末を用いて操縦を行うことが多い。このようなリモート端末を用いると従来の作業に比べると作業性が著しく改善されるが、当該車両で持ち運んで使用するので作業終了後に収容することを忘れてしまい作業現場に置き忘れたり、アウトリガー等の車外に置いて発車してしまい走行中に落下させて紛失したり、また、リヤタイヤで踏んで破損させるような事例も発生している。このようなリモート端末は高価であり、また、送信側のリモート端末を紛失すると受信機も交換修理や買い替えすることもあり、所有者にとっては大きな負担になっているし、そもそも交換修理や買い替えまでの期間、リモート端末がないことから遠隔操作が不可能となり、事業に支障が生ずる。また、近年では、宅配業者等において配送先で決済が可能なモバイル決済端末機なども普及しており、高価なリモート端末機器の置き忘れによる紛失を防ぐための方法や装置が必要とされている。
【０００３】
例えば、特許文献１には、「コントロール部材の置き忘れ防止装置」という名称で、車両のサイドブレーキと連動させて置き忘れ時に警報を発するコントロール部材の置き忘れ防止装置に関する考案が開示されている。
この特許文献１に開示された考案は、コントロール部材を収容可能な箱体と、この箱体の底部に設置される板部材と、この板部材に載置されるコントロール部材を検知するコントロール部材検知手段と、車両のサイドブレーキの動作状況を検知するサイドブレーキ検知手段と、コントロール部材検出手段とサイドブレーキ検知手段の検知信号に基づいてコントロール部材が置き忘れられていることを告知する警報手段を有するものである。
そして、コントロール部材検知手段は、箱体の底部と板部材の間に設置されるばね部材とスイッチ部材とを備えており、板部材上にコントロール部材が載置されてばね部材が縮んでいるときはスイッチ部材は導通せず、一方、板部材上にコントロール部材が載置されておらず板部材が伸びているときにスイッチ部材を導通させておくように構成されている。また、サイドブレーキ検知手段は、サイドブレーキによって押圧されるスイッチ手段を備えており、このスイッチ手段は、サイドブレーキを引いた状態では導通せず、一方、サイドブレーキを戻した状態では導通するように構成されている。そして、コントロール部材検知手段が導通し検知状態となり、サイドブレーキ検知手段が導通して検知状態になったとき、すなわち、コントロール部材を箱体に収容してない状態で車両を発進させようとしたときに、警報であるブザーが鳴るようになっており、使用者はコントロール部材の置き忘れに気付くことができる。
【先行技術文献】
【特許文献】
【０００４】
【特許文献１】実開平７−４４１８９号公報
【考案の概要】
【考案が解決しようとする課題】
【０００５】
しかしながら、上述の従来技術である特許文献１に開示された考案は、車両のサイドブレーキと連動させた構成であるので、簡単に設置することが困難であるという課題があった。また、平面状の板部材の上下動は平面状であるので場所によって偏りを生じ易く、スイッチ部材による検知がうまく作動しない可能性があるという課題もあった。
【０００６】
本考案はかかる従来の事情に対処してなされたものであり、設置が容易で検知感度が良好なスイッチ機構を備え、乗務員がリモート端末の不在を確実に察知することができるリモート端末備忘装置を提供することを目的とする。
【課題を解決するための手段】
【０００７】
上記目的を達成するため、請求項１記載の考案であるリモート端末備忘装置は、移動車両の乗務員によって使用されるリモート端末の紛失を防止するためのリモート端末備忘装置であって、リモート端末を収容可能な筐体部と、警報を発する警報部と、この警報部の電源の入切を操作するスイッチ部と、警報部に電力を供給する電力供給部とを有し、スイッチ部はリモート端末に接して動作する動作部を備え、この動作部は、リモート端末の載荷を受けるときは導電しない切状態となり，リモート端末の載荷を受けないときは導電する入状態となるものである。
このような構成のリモート端末備忘装置によれば、リモート端末が筐体に収容されて動作部がリモート端末の載荷を受けるときには、スイッチ部においては回路を開けた状態を保持して導電しない切状態となるように作用し、警報部の電源は入らず警報は発せられない。一方、リモート端末が筐体に収容されなくて動作部がリモート端末の載荷を受けないときは、スイッチ部においては回路を閉じて導電する入状態を保持し、警報部の電源を入れて警報が発せられるように作用する。
【０００８】
また、請求項２記載の考案は、請求項１記載のリモート端末備忘装置において、警報部が発する警報は、視認可能な警告灯又は聴認可能な警報音又は警告灯と警報音の組合せであるものである。
このような構成のリモート端末備忘装置においては、請求項１に記載の考案の作用に加えて、警告灯は視覚的に乗務員に警報を伝達し、警報音は聴覚的に乗務員に警報を伝達し、さらに、警告灯と警報音を組み合わせると視覚的及び聴覚的の両方の感覚を刺激して警報を伝達するように作用する。
【０００９】
そして、請求項３記載の考案は、請求項１又は請求項２に記載のリモート端末備忘装置において、筐体に枢設され筐体の開放部の少なくとも一部を覆う扉部を備えるものである。
このような構成のリモート端末備忘装置においては、請求項１又は請求項２に記載の考案の作用に加えて、扉部はリモート端末を筐体部に確実に収容し筐体部から落下したり外れたりすることを防止するように作用する。
【考案の効果】
【００１０】
以上説明したように、本考案の請求項１に記載のリモート端末備忘装置においては、リモート端末を筐体部に収容していないと、スイッチ部の電源が入状態となり、警報部の電源が入って警報が発せられるので、移動車両の乗務員はリモート端末の置き忘れや紛失に迅速に気付くことができる。また、簡単な構成であるので、安価に作製でき、なおかつ設置も容易となる。
【００１１】
また、本考案の請求項２に記載のリモート端末備忘装置においては、警報部での警報が、警告灯、警報音又は警告灯と警報音の組合せであるので、移動車両の乗務員は視覚的又は聴覚的に、あるいはその両方で警報を察知し、リモート端末がリモート端末備忘装置に収容されていないことに容易に気付くことが可能となる。
【００１２】
そして、本考案の請求項３に記載のリモート端末備忘装置においては、扉部を備えているので、筐体部に収容されるリモート端末が車両の振動等があっても筐体部から外部に飛び出すことなく、安定して収容することができる。また、外部からの衝撃や、塵や埃から筐体部内部及びリモート端末を保護することも可能となる。
【図面の簡単な説明】
【００１３】
【図１】本考案の実施の形態に係るリモート端末備忘装置の斜視図である。
【図２】（ａ）は本考案の実施の形態に係るリモート端末備忘装置の上面図であり、（ｂ）は同じくリモート端末備忘装置にリモート端末を収容した場合の上面図である。
【図３】図２（ｂ）中にＡ−Ａ線で示された部分の矢視断面図である。
【図４】本考案の実施の形態に係るリモート端末備忘装置の動作部にフックを用いた変形例を示す概念図である。
【図５】（ａ）は本考案の実施の形態に係るリモート端末備忘装置の動作部に一対の押しボタンを用いた変形例を示す上面図であり、（ｂ）は同じくリモート端末備忘装置の動作部に一対の押しボタンを用いた変形例にリモート端末を収容した場合の上面図である。
【図６】（ａ）は本考案の実施の形態に係るリモート端末備忘装置の動作部に押しボタンを用いた変形例を示す上面図であり、（ｂ）は同じくリモート端末備忘装置の動作部に押しボタンを用いた変形例にリモート端末を収容した場合の上面図である。
【考案を実施するための形態】
【００１４】
以下に、本考案に係るリモート端末備忘装置の実施の形態を図１乃至図３を参照しながら説明する。（請求項１及び請求項２に対応）
図１は、本考案の実施の形態に係るリモート端末備忘装置の斜視図である。
図１において、リモート端末備忘装置１は、内部にリモート端末が収容可能な筐体２と、警告灯５と、この警告灯５が設置される水平な設置板７ａと垂直な設置板７ｂからなる設置台７の内部に収容されて図示していないが、スイッチ部としてのリミットスイッチと、このリミットスイッチの一部で動作部である棒状体４を備えている。
また、導線６ａ，６ｂは車両に搭載されているバッテリー等の外部電力に接続して警告灯５に電力を供給するための配線である。通常、車両の運転席には近傍にヒューズボックスが備えられているため、導線６ａ，６ｂをそのヒューズボックス内から誘電するとよい。また、その際には運転席内鉄部にアース接続するとよい。このような導線６ａ，６ｂを設けることで取付が容易で車両の代替え時にも対応が容易となるのである。
凸部９ａ，１０ａ，１０ｂは筐体２に収容されるリモート端末の形状に合わせて形成されリモート端末の筐体２内部での移動を抑制するものである。そして、符号８はねじであり、４か所において螺合されて設置板７ａを設置板７ｂに固定している。設置台７の内部に収容されたリミットスイッチの修理やメンテナンスは、このねじ８を緩めて警告灯５と設置板７ａを取り外して行う。
リモート端末備忘装置１は、移動車両内に設置されて、リモート端末がリモート端末備忘装置１に収容されていないときに警告灯５が点灯して乗務員にリモート端末の不在を知らせる装置であり、警告灯５の点灯及び消灯は、棒状体４の動作によって決定される。すなわち、筐体２内にリモート端末が収容されて棒状体４がリモート端末に接してリモート端末の載荷を受けているときにはリミットスイッチが導電しない切状態となるように設定されているので警告灯５は消灯している。
一方、筐体２内にリモート端末が収容されてなくて棒状体４がリモート端末の載荷を受けていないときにはリミットスイッチは導電する入状態となるように設定されているので警告灯５は電力の供給を受けて点灯する。したがって、移動車両の乗務員は、警告灯５が点灯していることを視認すると、リモート端末が筐体２内に収容されていないことに気付くので、リモート端末の置き忘れ等によるリモート端末の紛失や損傷を防止することができる。
なお、本実施の形態では、警報部として視覚的に警報を捉えることが可能な警告灯５を用いているが、ブザーやサイレン等の警報音を発して聴覚的に警報を捉えることが可能な警報音発生器を用いることも可能である。さらには、警告灯５と警報音発生器を組み合わせるように回路を構成して設置し、視覚的及び聴覚的に警報を捉えるようにするとこともできる。また、警告灯５の形状、種類及び色についても特に限定されるものでなく、信号灯のように表面が平らな形状のものを用いてもよいし、回転灯のようにさらに注意喚起の効果が高いものを選定してもよい。
そして、リモート端末備忘装置１の設置位置は、移動車両の内部で、特に、乗務員席から視認又は聴認可能な範囲に設置されることが好ましい。乗務員席から視認又は聴認可能な範囲に設置されると、乗務員が運転して停車場所から移動する際にリモート端末の置き忘れに迅速に気付くことができる。
また、筐体２を構成する材料は、特に限定されず、木材、金属及びプラスチック等の板材を用いることができる。さらに、凸部９ａ，１０ａ，１０ｂの形状及び材料についても特に限定されるものではなく、収容するリモート端末の形状に合わせて自由に設計することができる。
【００１５】
次に、図２（ａ）は、本考案の実施の形態に係るリモート端末備忘装置の上面図であり、（ｂ）は、同じくリモート端末備忘装置にリモート端末を収容した場合の上面図である。
図２（ａ）及び（ｂ）において、リモート端末備忘装置１は横長の面を底面とする横置きで使用されるものであり、リモート端末備忘装置１の筐体２内にリモート端末１１を収容すると、棒状体４の上にリモート端末１１が載置され、また、リモート端末１１の形状に合わせて形成された筐体２内部にリモート端末１１が整然と収まるようになっている。特に、リモート端末１１の下端部の持ち手は凸部１０ａ，１０ｂの間に収容されて、筐体２内でのリモート端末１１の移動を防止している。このリモート端末１１はクレーンを操縦するための無線送信機であり、電源スイッチ１２や各種の操作ボタン１３，１４が備わっている。ここでは、リモート端末１１の形状に合わせて筐体２の大きさを決定し、筐体２内部に凸部９ａ，９ｂ，１０ａ，１０ｂを設けているが、筐体２の大きさや凸部９ａ，９ｂ，１０ａ，１０ｂ等の内部構造は特に限定されるものではなく、収容するリモート端末の形状に合わせて自由に変えることができる。なお、リモート端末１１にはクレーンを操縦する無線送信機の他にも宅配業者等が使用するモバイル決済端末機等が含まれる。
また、前述のとおり、符号８はねじであり、設置板７ａを設置板７ｂに螺設するためのものである。
【００１６】
続いて、図３は、図２（ｂ）中にＡ−Ａ線で示された部分の矢視断面図である。
図３において、リモート端末備忘装置１の断面をみると、警告灯５及び設置板７ａ，７ｂの下方にはリミットスイッチ３が設置されており、このリミットスイッチ３の正面側に棒状体４が固定具１６を介して突設されている。筐体２内にはリモート端末１１が収容されており、リモート端末１１の背面は棒状体４に接して、棒状体４はリモート端末１１の重みによって下方に垂れている。この棒状体４の動きを受けてリミットスイッチ３内部では、回路を開けた状態を保持して導通しない切状態とし、通電されないので警告灯５は消灯している。
一方、図示していないが、リモート端末１１が収容されていないときは、棒状体４はリモート端末１１の載荷を受けず、筐体２の底面に対して水平になるように静止しており、リミットスイッチ３内部では回路を閉じて導通させて入状態となるので警告灯５が点灯する。
ここで、符号１５は、警告灯５に電力を供給するための導線を配線するための貫通孔であり、図示していないが警告灯５には導線が接続されている。
このように本実施の形態では、棒状体４にリモート端末１１の載荷の有無を検知させて警告灯５を点消灯させるので、簡単な構成でありながらも確実にリモート端末１１の不在を警告することができる。
【００１７】
次に、本実施の形態にかかるリモート端末備忘装置の変形例について図４乃至図６を参照して説明する。（特に、請求項３に対応）
まず、図４は、本考案の実施の形態に係るリモート端末備忘装置の動作部にフックを用いた変形例を示す概念図である。
図４において、リモート端末備忘装置２１は縦長に設置され、縦置きで使用されるものであり、先に示した図１のリモート端末備忘装置１とは動作部である棒状体４が異なっている。リモート端末備忘装置２１の動作部はフック３８であり、このフック３８に荷重がかかるか否かがリミットスイッチの入切を決定する。リモート端末３１は具備される掛止孔３７をフック３８に掛止して、吊り下げた状態で筐体２２内に収容されるので、フック３８には、掛止されるリモート端末３１の荷重がかかり、図示していないがフック３８に接続されるリミットスイッチでは回路を開けて導通せず切状態となり、したがって、警告灯２５は消灯している。
一方、リモート端末３１が収容されずフック３８に荷重がかからないときには、リミットスイッチは回路を閉じて導通して入状態となり、警告灯２５が点灯して、リモート端末３１の不在を乗務員に知らせるようになっている。
また、リモート端末備忘装置２１は扉３９を備えており、筐体２２の一の側面の上端部に枢設される扉３９は、閉めると筐体２２の開放部を覆って、収容されるリモート端末３１が外部に飛び出すのを防いだり、外部からの塵や埃が筐体２２内部に侵入するのを防いだりして、リモート端末３１及び筐体２２の内部を保護することができる。なお、符号４０はつまみであり、手でつまんで扉３９の開閉を行うものである。また、扉３９を形成する材料は特に限定されるものでないが、透明又は半透明のプラスチック板を用いると、筐体２２内のリモート端末３１の収容状態を確認することができる。
なお、符号２８は設置台２７を固定するねじであり、符号２９ａ，２９ｂ，３０ａ，３０ｂはリモート端末３１の移動を防止する凸部である。そして、符号３２はリモート端末３１の電源スイッチであり、符号３３，３４は同じくリモート端末３１の操作ボタンである。
【００１８】
次に、図５（ａ）は、本考案の実施の形態に係るリモート端末備忘装置の動作部に一対の押しボタンを用いた変形例を示す上面図であり、（ｂ）は同じくリモート端末備忘装置の動作部に一対の押しボタンを用いた変形例にリモート端末を収容した場合の上面図である。
図５（ａ）及び（ｂ）において、リモート端末備忘装置４１は、前述の図４に示すリモート端末備忘装置２１と同様に縦置きで使用するものである。このリモート端末備忘装置４１では、リミットスイッチの動作部がボタン式であり、一対の押しボタン５８ａ，５８ｂが凸部５０ａ，５０ｂの上部にそれぞれ設置されている。
図５（ｂ）に示すように、リモート端末５１を筐体４２に収容すると、電源スイッチ５２や各種操作ボタン５３，５４を備えるリモート端末５１の操作部と持ち手で形成される一対の肩部が一対の押しボタン５８ａ，５８ｂに載荷されるように配置され、一対の押しボタン５８ａ，５８ｂは押圧された状態となり、リミットスイッチでは回路を開けて導通しない状態を保持し切状態となり、警告灯４５は消灯する。一方、リモート端末備忘装置５１が収容されていないときは、一対の押しボタン５８ａ，５８ｂは載荷されないので、リミットスイッチは回路を閉じて導通し入状態となって、警告灯４５に電力を供給して点灯するので乗務員は警報として視認することができる。
なお、符号４８は設置台４７を固定するねじであり、符号２９ａ，２９ｂはリモート端末５１の移動を防止する凸部である。
【００１９】
そして、図６（ａ）は、本考案の実施の形態に係るリモート端末備忘装置の動作部に押しボタンを用いた変形例を示す上面図であり、（ｂ）は同じくリモート端末備忘装置の動作部に押しボタンを用いた変形例にリモート端末を収容した場合の上面図である。
図６（ａ）及び（ｂ）において、リモート端末備忘装置６１は、図５に示すリモート端末備忘装置４１と同様に縦置きで使用する形態をとる。リモート端末備忘装置６１では、動作部が筐体６２の底面に設置される押しボタン７８であり、図６（ｂ）に示すようにリモート端末７１を筐体６２に収容すると、リモート端末７１の持ち手の底面が押しボタン７８と接触して押圧し、押しボタン７８は載荷状態となる。図５のリモート端末備忘装置４１と同様に、押しボタン７８が載荷状態であるときには、リミットスイッチは切状態となり、警告灯６５は点灯しないが、リモート端末７１が収容されてなくて押しボタン７８が載荷状態でないときにはリミットスイッチは入状態となって、警告灯６５が点灯し、リモート端末７１がリモート端末備忘装置６１に収容されていないことを乗務員に伝達するように構成されている。
なお、符号６８は設置台６７を固定するねじであり、符号６９ａ，６９ｂ，７０ａ，７０ｂはリモート端末７１の移動を防止する凸部である。そして、符号７２はリモート端末７１の電源スイッチであり、符号７３，７４は同じくリモート端末７１の操作ボタンである。
【００２０】
このように構成された本実施の形態においては、リモート端末備忘装置の筐体にリモート端末が収容されているかどうかを動作部の載荷状態で確実に判断し、警告灯を点灯して乗務員に警告を発するので、乗務員はリモート端末の不在に素早く気が付くことが可能であり、破損や紛失する前にリモート端末を探し出すことができる。また、リモート端末備忘装置は簡単な構造であるので、使いやすく、そして安価に作製することができ、なお且つ、設置も容易となる。
【産業上の利用可能性】
【００２１】
以上説明したように、請求項１乃至請求項３に記載された本考案は、リモート端末が不在の際に確実に警報を発し、安価で取り扱いが容易なリモート端末備忘装置を提供可能であり、リモート端末を使用する移動車両や作業車両等において利用可能である。
【符号の説明】
【００２２】
１…リモート端末備忘装置  ２…筐体  ３…リミットスイッチ  ４…棒状体  ５…警告灯  ６ａ，６ｂ…導線  ７…設置台  ７ａ，７ｂ…設置板  ８…ねじ  ９ａ，９ｂ…突部  １０ａ，１０ｂ…突部  １１…リモート端末  １２…電源スイッチ  １３…操作ボタン  １４…操作ボタン  １５…貫通孔  １６…固定具  ２１…リモート端末備忘装置  ２２…筐体  ２５…警告灯  ２７…設置台  ２８…ねじ  ２９ａ，２９ｂ…突部  ３０ａ，３０ｂ…突部  ３１…リモート端末  ３２…電源スイッチ  ３３…操作ボタン  ３４…操作ボタン  ３７…掛止用孔  ３８…フック  ３９…扉  ４０…つまみ  ４１…リモート端末備忘装置  ４２…筐体  ４５…警告灯  ４７…設置台  ４８…ねじ  ４９ａ，４９ｂ…突部  ５０ａ，５０ｂ…突部  ５１…リモート端末  ５２…電源スイッチ  ５３…操作ボタン  ５４…操作ボタン  ５８ａ，５８ｂ…押しボタン  ６１…リモート端末備忘装置  ６２…筐体  ６５…警告灯  ６７…設置台  ６８…ねじ  ６９ａ，６９ｂ…突部  ７０ａ，７０ｂ…突部  ７１…リモート端末  ７２…電源スイッチ  ７３…操作ボタン  ７４…操作ボタン  ７８…押しボタン
【図１】
0003178711.tif 000003
【図２】
0003178711.tif 000004
【図３】
0003178711.tif 000005
【図４】
0003178711.tif 000006
【図５】
0003178711.tif 000007
【図６】
0003178711.tif 000008